(57)【要約】【課題】燃料電池システムの冷媒に気泡が混入したか否かを判定し、混入していると判定されたときには除去する制御を行う。【解決手段】燃料電池スタック１２には、冷媒供給路１０２と冷媒排出路１０８を含む第１冷媒循環路１０９が接続される。冷媒排出路１０８からは、第２冷媒循環路１２１を構成してカーエアコン１２０に向かう往路１２２が分岐する。また、第２冷媒循環路１２１を構成する復路１２３は、カーエアコン１２０から出発して冷媒排出路１０８に合流する。往路１２２には、往路１２２とカーエアコン１２０とを接続状態又は接続遮断状態のいずれかに選択的に切り替える三方弁１２４が設けられる。【選択図】図１
2018018683.tif 000002
【特許請求の範囲】
【請求項１】
燃料ガス供給流路を介してアノード電極に供給される燃料ガスと、酸化剤ガス供給流路を介してカソード電極に供給される酸化剤ガスとの電気化学反応により発電する燃料電池と、
前記燃料電池に設けられた冷媒流路に冷媒を循環供給する燃料電池側冷媒循環流路と、
前記燃料電池側冷媒循環流路に配設され、空気との熱交換によって前記冷媒を冷却する熱交換器と、
前記燃料電池側冷媒循環流路の、前記熱交換器の下流側に設けられて前記冷媒を気相と液相に分離する気液分離器と、
前記燃料電池側冷媒循環流路に設けられた第１冷媒用ポンプと、
前記燃料電池とともに前記冷媒を共用する空気調和機構と、
前記燃料電池側冷媒循環流路から分岐し、前記空気調和機構を経由して前記燃料電池側冷媒循環流路に戻るとともに、前記空気調和機構に前記冷媒を循環供給する空調機器側冷媒循環流路と、
前記空調機器側冷媒循環流路に設けられた第２冷媒用ポンプと、
前記空調機器側冷媒循環流路と前記空気調和機構とを選択的に接続又は接続遮断する三方弁と、
を備える燃料電池システムの制御方法であって、
前記空調機器側冷媒循環流路を流通する前記冷媒中に所定量以上の気泡が混入しているか否かを判定する気泡判定工程と、
前記気泡判定工程で前記冷媒中に所定量以上の気泡が混入していると判定されたときに、前記空調機器側冷媒循環流路と前記空気調和機構とが接続状態又は接続遮断状態のいずれであるかを判定する状態判定工程と、
を有し、
前記状態判定工程で前記空調機器側冷媒循環流路と前記空気調和機構とが接続状態であると判定された場合であって且つ前記燃料電池が予め設定された所定温度以上であるとき、前記三方弁を操作して接続遮断状態とする指令がなされても、接続を維持することを特徴とする燃料電池システムの制御方法。
【請求項２】
請求項１記載の制御方法において、前記気泡判定工程で、前記第１冷媒用ポンプが所定回転数以上の場合に、所定量以上の気泡が混入していると判定することを特徴とする燃料電池システムの制御方法。
【請求項３】
請求項１又は２記載の制御方法において、前記燃料電池システムは、前記燃料電池側冷媒循環流路に配設されて前記冷媒の量を調整するための冷媒貯留器をさらに有し、
前記気泡判定工程で、前記冷媒貯留器の液面位置が所定の下限閾値以下の場合に、所定量以上の気泡が混入していると判定することを特徴とする燃料電池システムの制御方法。
【請求項４】
請求項１〜３のいずれか１項に記載の制御方法において、前記第１冷媒用ポンプが所定回転数以下である状態が所定時間継続した場合に気泡が除去されたと判定することを特徴とする燃料電池システムの制御方法。
【請求項５】
請求項１〜４のいずれか１項に記載の制御方法において、前記空気調和機構が停止された場合に前記空調機器側冷媒循環流路と前記空気調和機構とを接続遮断状態とする指令がなされることを特徴とする燃料電池システムの制御方法。
【請求項６】
請求項１〜５のいずれか１項に記載の制御方法において、前記気泡判定工程で前記冷媒中に所定量以上の気泡が混入していると判定された後に前記燃料電池が予め設定された所定温度を下回ったときには、前記三方弁を操作して前記空調機器側冷媒循環流路と前記空気調和機構とを接続遮断状態とする指令がなされることを特徴とする燃料電池システムの制御方法。
【請求項７】
請求項５又は６記載の制御方法において、前記接続遮断状態とする指令がなされたときに気泡の除去動作を行っている最中である場合、除去動作が終了した後に前記三方弁を操作して前記接続遮断状態とすることを特徴とする燃料電池システムの制御方法。
【発明の詳細な説明】
【技術分野】
【０００１】
本発明は、燃料電池システムの制御方法に関し、一層詳細には、空気調和機構とともに冷媒を共有する燃料電池システムの制御方法に関する。
【背景技術】
【０００２】
燃料電池は、電解質の一方の面にアノード電極が、他方の面にカソード電極がそれぞれ配設された電解質・電極構造体を備える。電解質・電極構造体がセパレータによって挟持されることにより、発電セル（単位セル）が構成される。一般的には、この発電セルが所定数で積層されることで得られるスタックが用いられる。この種の燃料電池は、例えば、自動車に搭載される。このような車載用途では、多くの場合、電解質が高分子イオン交換膜からなる固体高分子型燃料電池が採用されている。
【０００３】
ところで、自動車には、多くの場合で空気調和機構（いわゆるカーエアコン）が搭載される。この場合、燃料電池とカーエアコンは冷媒を共用する。従って、特許文献１、２に記載されるように、燃料電池に対して冷媒を循環供給する第１循環供給路と、カーエアコンに対して冷媒を供給する第２循環供給路とが設けられる。燃料電池には、さらに、アノード電極に燃料ガス（例えば、水素ガス）を供給するための燃料ガス供給流路や、カソード電極に酸化剤ガス（例えば、圧縮空気等の酸素含有ガス）を供給するための酸化剤ガス供給流路が設けられる。以上により、燃料電池システムが構築されている。
【０００４】
第１循環供給路及び第２循環供給路は、冷媒用ポンプがそれぞれ設けられる。各冷媒用ポンプは、冷媒の移送速度を大きくするべく該冷媒の圧力を高める役割を果たす。すなわち、冷媒は、冷媒用ポンプの作用下に圧送される。
【先行技術文献】
【特許文献】
【０００５】
【特許文献１】特開２０１２−２３７９５号公報
【特許文献２】特開２００５−１６６４９７号公報
【発明の概要】
【発明が解決しようとする課題】
【０００６】
第１循環供給路又は第２循環供給路にて冷媒を循環供給する（流通させる）過程で、冷媒中にエアが噛み込むことが想定される。このような状況下では、冷媒用ポンプにいわゆる空転が起こり、その結果、圧送能力が低下する。このことに起因して、冷却能力が低下する可能性がある。
【０００７】
そこで、特許文献２に記載されるように、第１循環供給路及び第２循環供給路の各々にリザーブタンクを設け、これによりエアの噛み込みを防止することが想起される。しかしながら、この場合、２個のリザーブタンクを設けることになるので燃料電池システムが大型化する。従って、燃料電池システムの設置スペースに制約がある場合、特に車載用途では、燃料電池システムを設置することが容易でなくなる。
【０００８】
本発明は上記した問題を解決するためになされたもので、しかも、燃料電池システムの大型化を回避し得る構成を採用しながら、冷媒にエアが噛み込んだ際に該エアを除去することが可能な燃料電池システムの制御方法を提供することを目的とする。
【課題を解決するための手段】
【０００９】
前記の目的を達成するために、本発明は、燃料ガス供給流路を介してアノード電極に供給される燃料ガスと、酸化剤ガス供給流路を介してカソード電極に供給される酸化剤ガスとの電気化学反応により発電する燃料電池と、
前記燃料電池に設けられた冷媒流路に冷媒を循環供給する燃料電池側冷媒循環流路と、
前記燃料電池側冷媒循環流路に配設され、空気との熱交換によって前記冷媒を冷却する熱交換器と、
前記燃料電池側冷媒循環流路の、前記熱交換器の下流側に設けられて前記冷媒を気相と液相に分離する気液分離器と、
前記燃料電池側冷媒循環流路に設けられた第１冷媒用ポンプと、
前記燃料電池とともに前記冷媒を共用する空気調和機構と、
前記燃料電池側冷媒循環流路から分岐し、前記空気調和機構を経由して前記燃料電池側冷媒循環流路に戻るとともに、前記空気調和機構に前記冷媒を循環供給する空調機器側冷媒循環流路と、
前記空調機器側冷媒循環流路に設けられた第２冷媒用ポンプと、
前記空調機器側冷媒循環流路と前記空気調和機構とを選択的に接続又は接続遮断する三方弁と、
を備える燃料電池システムの制御方法であって、
前記空調機器側冷媒循環流路を流通する前記冷媒中に所定量以上の気泡が混入しているか否かを判定する気泡判定工程と、
前記気泡判定工程で前記冷媒中に所定量以上の気泡が混入していると判定されたときに、前記空調機器側冷媒循環流路と前記空気調和機構とが接続状態又は接続遮断状態のいずれであるかを判定する状態判定工程と、
を有し、
前記状態判定工程で前記空調機器側冷媒循環流路と前記空気調和機構とが接続状態であると判定された場合であって且つ前記燃料電池が予め設定された所定温度以上であるとき、前記三方弁を操作して接続遮断状態とする指令がなされても、接続を維持することを特徴とする。
【００１０】
すなわち、空調機器側冷媒循環流路と空気調和機構とが接続状態である場合に気泡の除去を行うときには、空調機器側冷媒循環流路と空気調和機構との接続を遮断する指令がなされても、接続状態が維持される。従って、燃料電池側冷媒循環流路内の冷媒と、空調機器側冷媒循環流路内の冷媒との双方から気泡を除去することができる。
【００１１】
そして、気泡の量が許容範囲内まで低減した後、前記指令に従って空調機器側冷媒循環流路と空気調和機構との接続が遮断される。このため、空調機器側冷媒循環流路には気泡の量が許容範囲内まで低減した冷媒が封入される。従って、次回の燃料電池システムの起動時に、「第２冷媒用ポンプに気泡が混入している」との判定がなされてエラー停止となることが回避される。
【００１２】
しかも、この場合、１個の気液分離器によって燃料電池側冷媒循環流路内の冷媒と、空調機器側冷媒循環流路内の冷媒との双方から気泡を除去することができる。従って、燃料電池システムが大型化することを回避することができる。このために燃料電池システムの設置スペースが広大化することを回避することができるので、例えば、燃料電池システムを自動車に搭載するときに配置レイアウトの自由度が向上する。
【００１３】
この制御方法は、燃料電池の運転を停止する際に行うことも可能である。すなわち、燃料電池の運転時に「運転停止」の指令がなされたときに「冷媒にエアが噛み込んでいる」と判定された場合には、運転停止処理を行う間に上記の気泡除去制御が行われる。
【００１４】
冷媒に気泡が混入しているか否かは、例えば、第１冷媒用ポンプの回転数に基づいて判断することができる。気泡の混入量が多くなるに従って第１冷媒用ポンプの回転数が上昇するからである。従って、気泡判定工程では、第１冷媒用ポンプが所定回転数以上の場合に、所定量以上の気泡が混入していると判定することが可能である。
【００１５】
また、冷媒の量を調整するための冷媒貯留器を燃料電池側冷媒循環流路に設けたときには、気泡の混入量が多くなるに従って冷媒貯留器における液面位置が低くなる傾向がある。このことに基づき、気泡判定工程では、冷媒貯留器の液面位置が所定の下限閾値以下の場合に、所定量以上の気泡が混入していると判定することも可能である。なお、上記した２つの判定方法を併用してもよいことは勿論である。
【００１６】
冷媒中から気泡を除去するには、例えば、第１冷媒用ポンプを所定回転数以下で運転すればよい。この場合、気液分離器に導入される冷媒の量が、該気液分離器の気液分離能力の範囲内となるからである。すなわち、気液分離器内で冷媒が十分に気相と液相に分離され、その結果、冷媒中の気泡の量が許容範囲内まで低減する。従って、第１冷媒用ポンプが所定回転数以下である状態が所定時間継続した場合に、気泡が除去されたと判定することが可能である。
【００１７】
なお、空調機器側冷媒循環流路と空気調和機構とを接続遮断状態とする指令は、例えば、空気調和機構が停止された場合になされる。このような場合であっても、気泡が除去されている最中には、上記したように空調機器側冷媒循環流路と空気調和機構との接続が遮断されることはない。
【００１８】
また、前記気泡判定工程で冷媒中に所定量以上の気泡が混入していると判定された場合であっても、その後に燃料電池が予め設定された所定温度を下回ったときには、三方弁を操作して空調機器側冷媒循環流路と空気調和機構とを接続遮断状態とすることが好ましい。すなわち、例えば、前記状態判定工程で空調機器側冷媒循環流路と空気調和機構とが接続状態であると判定された場合であっても、その後に燃料電池が予め設定された所定温度を下回ったときには、三方弁を操作して両者を接続遮断状態とする指令がなされるようにするとよい。この指令が実行されることにより、燃料電池のそれ以上の温度低下が回避されるからである。
【００１９】
ここで、空調機器側冷媒循環流路と空気調和機構とを接続遮断状態とする（三方弁を操作する）指令が、気泡の除去動作が行われている最中になされることが想定される。このような場合には、除去動作が終了した後に指令を実行し、接続遮断状態とするようにしてもよい。
【発明の効果】
【００２０】
本発明によれば、気液分離器が１個のみであっても、気泡が除去されている最中には空調機器側冷媒循環流路と空気調和機構との接続状態を維持するようにしている。このため、燃料電池側冷媒循環流路内の冷媒と、空調機器側冷媒循環流路内の冷媒との双方から気泡を除去することができる。
【００２１】
従って、燃料電池システムが大型化することを回避することができるので、燃料電池システムの設置スペースが広大化することが回避される。従って、例えば、燃料電池システムを自動車に搭載するときに配置レイアウトの自由度が向上する。
【図面の簡単な説明】
【００２２】
【図１】本発明の実施の形態に係る制御方法が適用される燃料電池システムの概略構成説明図である。
【図２】前記制御方法の概略タイムチャートである。
【図３】第１冷媒用ポンプである第１水ポンプの回転数と冷媒中の混入気泡量との関係を示すグラフである。
【図４】冷媒中の混入気泡量と三方弁の動作状態とを示すグラフである。
【図５】三方弁の動作状態と、空調機器側冷媒循環流路内の気泡の混入有無判定との関係を示すグラフである。
【図６】図５とは別の例の、三方弁の動作状態と、空調機器側冷媒循環流路内の気泡の混入有無判定との関係を示すグラフである。
【図７】図５及び図６とは別の例の、三方弁の動作状態と、空調機器側冷媒循環流路内の気泡の混入有無判定との関係を示すグラフである。
【発明を実施するための形態】
【００２３】
以下、本発明に係る燃料電池システムの制御方法につき好適な実施の形態を挙げ、添付の図面を参照して詳細に説明する。
【００２４】
先ず、燃料電池システムにつき、その概略構成説明図である図１を参照して説明する。この燃料電池システム１０は、燃料電池スタック１２（燃料電池）を備える。
【００２５】
燃料電池スタック１２は、燃料ガスを供給する燃料ガス供給装置１４と、酸化剤ガスを供給する酸化剤ガス供給装置１６と、冷媒を供給する冷媒供給装置１８とを備える。本実施の形態では、燃料ガスとして水素ガス、酸化剤ガスとして圧縮空気を用いる。燃料電池システム１０は、さらに、システム制御装置である制御部２０を備える。
【００２６】
燃料電池スタック１２は、複数の発電セル２４が図１中の矢印Ａ方向（水平方向又は鉛直方向）に積層されて構成される。ここで、発電セル２４は、電解質膜・電極構造体２６を第１セパレータ２８及び第２セパレータ３０で挟持したものである。第１セパレータ２８及び第２セパレータ３０は、金属又はカーボンからなる。
【００２７】
電解質膜・電極構造体２６は、例えば、水分が含まれたパーフルオロスルホン酸の薄膜である固体高分子電解質膜３２と、前記固体高分子電解質膜３２を挟持するアノード電極３４及びカソード電極３６とを備える。固体高分子電解質膜３２としては、上記のようなフッ素系電解質の他、ＨＣ（炭化水素）系電解質を採用することもできる。
【００２８】
第１セパレータ２８には、電解質膜・電極構造体２６との間に、アノード電極３４に水素ガスを供給するための水素ガス流路（燃料ガス流路）３８が設けられる。一方、第２セパレータ３０には、電解質膜・電極構造体２６との間に、カソード電極３６に空気を供給するための空気流路４０が設けられる。互いに隣接する第１セパレータ２８と第２セパレータ３０との間には、冷媒を流通させるための冷媒流路４２が形成される。
【００２９】
燃料電池スタック１２には、水素ガス入口４４ａ、水素ガス出口４４ｂ、空気入口４６ａ、空気出口４６ｂ、冷媒入口４８ａ及び冷媒出口４８ｂが設けられる。この中の水素ガス入口４４ａは、各発電セル２４の積層方向に貫通するとともに、水素ガス流路３８の供給側に連通する。同様に、水素ガス出口４４ｂも各発電セル２４の積層方向に貫通するとともに、水素ガス流路３８の排出側に連通する。水素ガス流路３８、水素ガス入口４４ａ及び水素ガス出口４４ｂにより、アノード流路が構成される。
【００３０】
同様に、空気入口４６ａは、各発電セル２４の積層方向に貫通するとともに、空気流路４０の供給側に連通する。空気出口４６ｂは、各発電セル２４の積層方向に貫通するとともに、空気流路４０の排出側に連通する。空気流路４０、空気入口４６ａ及び空気出口４６ｂにより、カソード流路が構成される。
【００３１】
さらに、冷媒入口４８ａは、各発電セル２４の積層方向に貫通するとともに、冷媒流路４２の供給側に連通する。冷媒出口４８ｂは、各発電セル２４の積層方向に貫通するとともに、冷媒流路４２の排出側に連通する。
【００３２】
燃料ガス供給装置１４は、高圧水素ガスを貯留する水素タンク５０を備え、この水素タンク５０は、水素ガス供給路５１（燃料ガス供給流路）を介して燃料電池スタック１２の水素ガス入口４４ａに接続される。水素ガス供給路５１は、燃料電池スタック１２に水素ガスを供給する。
【００３３】
水素ガス供給路５１には、インジェクタ５４とエゼクタ５６が直列に設けられる。エゼクタ５６内が負圧になることで、水素循環流路６６からの水素が吸引される。
【００３４】
燃料電池スタック１２の水素ガス出口４４ｂには、水素ガス排出路６２（アノードオフガス排出路）が接続される。水素ガス排出路６２は、アノード電極３４で少なくとも一部が使用された水素ガスである排出水素ガス（アノードオフガス）を、燃料電池スタック１２から導出する。
【００３５】
水素ガス排出路６２には、気液分離器６４が設けられる。前記気液分離器６４の下流からは水素循環流路６６が分岐し、この水素循環流路６６の下流側が前記エゼクタ５６に接続される。水素循環流路６６には、水素ポンプ６８が設けられる。水素ポンプ６８は、特に起動時に、水素ガス排出路６２に排出されたアノードオフガスを、水素循環流路６６及びエゼクタ５６を介して水素ガス供給路５１に循環させる。
【００３６】
水素ガス排出路６２は、パージ流路７０の一端が連通するとともに、前記パージ流路７０の途上には、パージ弁７２が設けられる。気液分離器６４の底部には、主に液体成分を含む流体を排出する排水流路７４の一端が接続される。排水流路７４の途上には、ドレイン弁７６が配設される。
【００３７】
酸化剤ガス供給装置１６は、空気供給路（酸化剤ガス供給流路）８０に配設された、酸化剤ガス供給機構としてのエアポンプ７８を備える。このエアポンプ７８は、大気（空気）を圧縮して供給するべく、回転駆動手段であるモータを内蔵する圧縮機として構成される。すなわち、エアポンプ７８は、モータが回転することに伴って大気を圧縮し、これにより得た圧縮空気を空気供給路８０から燃料電池スタック１２に供給する。
【００３８】
なお、上記したような構成のエアポンプ７８は公知であるため、詳細な説明は省略する。
【００３９】
空気供給路８０は、エアポンプ７８の下流側に位置するとともに燃料電池スタック１２の空気入口４６ａに接続され、その間に供給側開閉弁（入口封止弁）８２ａ及び加湿器８４が介装される。空気供給路８０には、加湿器８４を迂回するバイパス供給路８６が接続される。バイパス供給路８６には、開閉弁８８が設けられる。
【００４０】
燃料電池スタック１２の空気出口４６ｂには、空気排出路（カソードオフガス排出路）９０が接続される。空気排出路９０は、少なくとも一部がカソード電極３６で使用された圧縮空気である排出圧縮空気（カソードオフガス）を、燃料電池スタック１２から排出する。
【００４１】
空気排出路９０の下流には前記加湿器８４が配設されており、このため、加湿器８４は、エアポンプ７８から供給された圧縮空気とカソードオフガスとの間で水分及び熱を交換する。さらに、空気排出路９０において、加湿器８４の下流側には排出側開閉弁（出口封止弁）８２ｂ及び背圧弁９２が配設される。空気排出路９０の下流には、パージ流路７０の他端及び排水流路７４の他端が接続されて合流しており、これにより希釈部を構成している。
【００４２】
背圧弁９２は、前記カソード流路に供給される圧縮空気の圧力を制御するために設けられる圧力調整弁である。すなわち、カソード電極３６の内圧は、背圧弁９２によって調節される。
【００４３】
空気供給路８０と空気排出路９０とには、供給側開閉弁８２ａの上流側と排出側開閉弁８２ｂの下流側及び背圧弁９２の下流側とに位置して、バイパス流路９４の両端が連通する。バイパス流路９４には、前記バイパス流路９４を流通する空気の流量を調整するＢＰ流量調整弁９６が配設される。
【００４４】
冷媒供給装置１８は、燃料電池スタック１２の冷媒入口４８ａに接続される冷媒供給路１０２を備え、前記冷媒供給路１０２の途上には、第１水ポンプ１０４（第１冷媒用ポンプ）が配置される。冷媒供給路１０２は、ラジエータ１０６に接続されるとともに、前記ラジエータ１０６には、冷媒出口４８ｂに連通する冷媒排出路１０８が接続される。
【００４５】
冷媒排出路１０８及び冷媒供給路１０２により、燃料電池側冷媒循環流路としての第１冷媒循環路１０９が構成される。すなわち、冷媒供給路１０２は、ラジエータ１０６から燃料電池スタック１２に向かう第１冷媒循環路１０９の復路であり、冷媒排出路１０８は、燃料電池スタック１２からラジエータ１０６に向かう往路である。
【００４６】
ここで、冷媒供給路１０２にはサーモスタット弁１１０が設けられる。このサーモスタット弁１１０は、冷媒供給路１０２を流通する冷媒が高温であるときには自動的に開状態となり、一方、低温であるときには自動的に閉状態となる。このようなサーモスタット弁１１０の作動原理は、例えば、特開２０１４−２３２６８４号公報に記載されるように周知であり、従って、詳細な説明は省略する。
【００４７】
冷媒排出路１０８と冷媒供給路１０２の間には、ラジエータ１０６及びサーモスタット弁１１０をバイパスするバイパス路１１１が設けられる。すなわち、冷媒排出路１０８と冷媒供給路１０２は、バイパス路１１１を介して連通する。従って、サーモスタット弁１１０が閉状態にあるときには、冷媒排出路１０８を流通する冷媒は、バイパス路１１１を経由して冷媒供給路１０２に流通する。
【００４８】
サーモスタット弁１１０の下流側にはエキスパンションタンク１１２（気液分離器）が配設されるとともに、該エキスパンションタンク１１２との間で冷媒を移動させることが可能なリザーブタンク１１４（冷媒貯留器）が付設される。すなわち、必要に応じてエキスパンションタンク１１２からリザーブタンク１１４に冷媒が供給されるか、又は、リザーブタンク１１４からエキスパンションタンク１１２に冷媒が供給される。
【００４９】
以上のサーモスタット弁１１０及びエキスパンションタンク１１２は、ラジエータ１０６と第１水ポンプ１０４の間に介装される。また、第１水ポンプ１０４の下流側には、冷媒供給路１０２から分岐して冷媒排出路１０８に合流する支管１１５が設けられており、該支管１１５には、イオン交換器１１６が介装される。イオン交換器１１６は、冷媒中に含まれるイオンを除去することで、燃料電池スタック１２の液絡を防止する。
【００５０】
冷媒排出路１０８には、該冷媒排出路１０８から分岐してカーエアコン１２０（空気調和機構）を経由し、さらに、該冷媒排出路１０８に合流する第２冷媒循環路１２１（空調機器側冷媒循環流路）が設けられる。第２冷媒循環路１２１は、冷媒排出路１０８からカーエアコン１２０に向かう往路１２２と、カーエアコン１２０から冷媒排出路１０８に向かう復路１２３とを有する。
【００５１】
この中の往路１２２には、三方弁１２４、第２水ポンプ１２６（第２冷媒用ポンプ）及びエアコンヒータ１２８が上流側からこの順序で介装される。往路１２２の、エアコンヒータ１２８よりも下流側は、カーエアコン１２０を構成するコンプレッサ１３０に接続されている。
【００５２】
カーエアコン１２０はダクトケーシング１３１を有し、該ダクトケーシング１３１内に、送風機１３２、エバポレータ１３４、図示しないエアミックスドア、及び前記コンプレッサ１３０が上流側からこの順序で設置されている。この中の送風機１３２は、モータの作用下に回転することで車内外の空気を吸入し、ダクトケーシング１３１内に送り込む機能を営む。
【００５３】
また、エバポレータ１３４は冷房運転時に蒸発器として機能し、送風機１３２から供給された空気を冷却する。一方、コンプレッサ１３０は冷媒を圧縮する。コンプレッサ１３０に供給される冷媒は、エアコンヒータ１２８が付勢されているときには加温されて温度が上昇している。
【００５４】
エアミックスドアは、例えば回動式のドアから構成され、制御部２０からの指令に従って回動することで開度調整がなされる。これにより、コンプレッサ１３０に流入する空気と、コンプレッサ１３０を迂回する空気との流量比、すなわち、車室に供給される調和空気の温度が調整される。
【００５５】
コンプレッサ１３０から冷媒排出路１０８に向かう復路１２３には、前記三方弁１２４に向かうバイパス用分岐管１４０が設けられる。従って、往路１２２とコンプレッサ１３０は、三方弁１２４が操作されることにより、接続状態又は接続遮断状態に選択的に切り替えられる。
【００５６】
次に、本実施の形態に係る燃料電池システム１０の制御方法につき、該燃料電池システム１０の動作との関係で説明する。
【００５７】
このように構成される燃料電池システム１０は、例えば、燃料電池電気自動車等の燃料電池車両（図示せず）に搭載される。以下においては、この場合を例示する。
【００５８】
燃料電池車両の運転が開始される際、イグニッションがＯＮとされることに伴って燃料電池スタック１２が起動される。このとき、制御部２０は、燃料ガス供給装置１４からアノード流路に水素ガスを供給するべく、インジェクタ５４を開放する指令信号を発する。これにより、水素タンク５０から水素ガス供給路５１に供給された所定量の水素ガスが、インジェクタ５４及びエゼクタ５６を通過して燃料電池スタック１２の水素ガス入口４４ａに供給される。
【００５９】
水素ガスは、さらに、水素ガス入口４４ａから水素ガス流路３８に導入され、前記水素ガス流路３８に沿って移動する。これにより、電解質膜・電極構造体２６のアノード電極３４に水素ガスが供給される。
【００６０】
その一方で、制御部２０は、酸化剤ガス供給装置１６から圧縮空気を供給するべく、エアポンプ７８を付勢する指令信号を発する。これに伴い、エアポンプ７８の回転作用下に大気が圧縮され、空気供給路８０に圧縮空気として送気する。この圧縮空気は、加湿器８４を通過する際に加湿された後、燃料電池スタック１２の空気入口４６ａに供給される。圧縮空気は、空気入口４６ａから空気流路４０に導入された後、前記空気流路４０に沿って移動することによって電解質膜・電極構造体２６のカソード電極３６に供給される。
【００６１】
従って、各電解質膜・電極構造体２６では、アノード電極３４に供給される水素ガスと、カソード電極３６に供給される圧縮空気中の酸素とが、電極触媒層内で電気化学反応により消費されて発電が行われる。加湿器８４にて圧縮空気に付与された湿分の一部は、カソード電極３６から固体高分子電解質膜３２に浸透し、アノード電極３４に到達する。
【００６２】
アノード電極３４に供給されて一部が消費された水素ガスは、アノードオフガスとして水素ガス出口４４ｂから水素ガス排出路６２に排出される。この際、アノードオフガスは、上記のようにしてアノード電極３４に到達した湿分（水分）を同伴する。すなわち、気液分離器６４に導入されるアノードオフガスは、水分を含んだ湿潤ガスである。
【００６３】
気液分離器６４において、アノードオフガス中の水分の大部分が分離される。液分（水）は、ドレイン弁７６が開放されることによって排水流路７４から排出される。一方、水分が分離されたアノードオフガスは、若干残留したミストを含んだ状態で、水素ポンプ６８の作用下に、水素ガス排出路６２から水素循環流路６６に導入される。アノードオフガスは、さらに、水素循環流路６６からエゼクタ５６に吸引され、インジェクタ５４を通過した新たな水素ガスに合流して水素ガス供給路５１からアノード流路に供給される。このように、アノードオフガスは燃料電池スタック１２に循環供給される。
【００６４】
なお、水素ガス排出路６２に排出されたアノードオフガスは、必要に応じて、パージ弁７２の開放作用下に外部に排出（パージ）される。
【００６５】
同様に、カソード電極３６に供給されて一部が消費された圧縮空気は、カソードオフガスとして空気出口４６ｂから空気排出路９０に排出される。カソードオフガスは、加湿器８４を通って空気供給路８０から供給される新たな圧縮空気を加湿した後、背圧弁９２の設定圧力に調整されて希釈部に排出される。
【００６６】
以上のようにして燃料電池スタック１２の運転が行われている間、冷媒供給装置１８では、第１水ポンプ１０４の作用下に、冷媒供給路１０２から燃料電池スタック１２の冷媒入口４８ａに純水やエチレングリコール、オイル等の冷媒が供給される。冷媒は、冷媒流路４２に沿って流動し、発電セル２４を冷却した後、冷媒出口４８ｂから冷媒排出路１０８に排出される。
【００６７】
燃料電池スタック１２の起動直後では、燃料電池スタック１２から導出された冷媒は低温であり、このためにサーモスタット弁１１０は閉止している。このとき、冷媒は、バイパス路１１１を通過して冷媒供給路１０２に移動し、さらに、エキスパンションタンク１１２、第１水ポンプ１０４を経由して冷媒入口４８ａから燃料電池スタック１２内の冷媒流路４２に戻される。
【００６８】
これに対し、燃料電池スタック１２の温度が十分に上昇して冷媒が十分に高温となると、サーモスタット弁１１０が開状態に切り替わる。従って、冷媒はラジエータ１０６に導入されて冷却され、その後、サーモスタット弁１１０、エキスパンションタンク１１２、第１水ポンプ１０４を経由して冷媒入口４８ａから燃料電池スタック１２内の冷媒流路４２に戻される。以上のようにして、冷媒が第１冷媒循環路１０９を循環流通する。すなわち、燃料電池スタック１２に冷媒が循環供給される。
【００６９】
三方弁１２４が往路１２２を第２水ポンプ１２６に接続する方向に動作されるとともに第２水ポンプ１２６が付勢されたとき、冷媒排出路１０８を流通する冷媒の一部は、第２水ポンプ１２６に吸引されることで第２冷媒循環路１２１を構成する往路１２２に分配される。往路１２２に分配された冷媒は、第２水ポンプ１２６の作用下に、エアコンヒータ１２８を介してコンプレッサ１３０に圧送される。
【００７０】
その一方で、制御部２０の制御作用下に付勢されたモータによって送風機１３２が回転する。これにより、ダクトケーシング１３１内に空気が供給される。制御部２０は、さらに、エアミックスドアの開度を調整して、コンプレッサ１３０に接触する空気の量を調節する。この際、コンプレッサ１３０内を流通する冷媒と、該コンプレッサ１３０に接触する空気との間で熱伝達が行われる。すなわち、冷媒の熱が空気に奪取される。
【００７１】
その結果、空気が加温されるとともに冷媒が冷却される。加温された空気は、燃料電池車両の室内に暖房用熱源として供給される。一方、冷却された冷媒は、三方弁１２４が復路１２３と冷媒排出路１０８を連通する状態となっているため、復路１２３を介して冷媒排出路１０８に戻り、以降はラジエータ１０６側に流通する。
【００７２】
往路１２２には、冷媒排出路１０８から新たな冷媒が流入する。従って、第２冷媒循環路１２１に冷媒が循環流通する。すなわち、カーエアコン１２０に冷媒が循環供給される。
【００７３】
エキスパンションタンク１１２は、以上のようにして冷媒が第１冷媒循環路１０９を流通する最中、冷媒を一時的に貯留する。この貯留の際、冷媒が気相と液相に分離する。この中の気相は、エキスパンションタンク１１２に設けられた圧力開放弁を介してエキスパンションタンク１１２外に放出される。この放出分の低減量を補うべく、リザーブタンク１１４に貯留された冷媒の中から所定量がエキスパンションタンク１１２に供給される。
【００７４】
また、冷媒は、温度の上昇又は下降に伴って体積が変化する。例えば、温度が上昇して冷媒が膨張したときには、エキスパンションタンク１１２からリザーブタンク１１４に冷媒が移される。逆に、冷媒が収縮したときには、リザーブタンク１１４からエキスパンションタンク１１２に冷媒が補給される。
【００７５】
エキスパンションタンク１１２の気液分離能力を超える量で該エキスパンションタンク１１２に冷媒が供給された場合、冷媒にエアが残留した状態となると想定される。このような状況下では、第１水ポンプ１０４が空転を起こして冷媒の圧送能力が低下し、その結果として冷却能力が低下する可能性がある。そこで、本実施の形態では、冷媒がエアを噛み込んでいると認識されたときには、エアを除去する制御が行われる。このため、先ず、気泡判定工程が実施される。
【００７６】
冷媒がエアを噛み込んでいるか否か、換言すれば、冷媒に気泡が混入しているか否かは、例えば、第１水ポンプ１０４の回転数に基づいて判定することができる。すなわち、第１水ポンプ１０４の回転数は、冷媒に混入した気泡が多くなるにつれて上昇する。従って、制御部２０は、第１水ポンプ１０４の回転数が所定回転数以上であるとき、「所定量以上の気泡が冷媒に混入している」と認識する。
【００７７】
又は、リザーブタンク１１４の液面位置に基づいて判定するようにしてもよい。リザーブタンク１１４の液面が低下するにつれ、冷媒に気泡が混入する傾向があるからである。すなわち、リザーブタンク１１４の液面位置が所定の下限閾値以下であるときに、制御部２０に「所定量以上の気泡が冷媒に混入している」と認識させることも可能である。
【００７８】
勿論、両者を併用してもよい。すなわち、第１水ポンプ１０４の回転数が所定回転数以上であるとき、又は、リザーブタンク１１４の液面位置が所定の下限閾値以下であるときのいずれかが先に到来したときに、制御部２０に「所定量以上の気泡が冷媒に混入している」と認識させるようにすることもできる。
【００７９】
制御部２０が「所定量以上の気泡が冷媒に混入している」と認識したときには、該制御部２０は、三方弁１２４が、往路１２２とコンプレッサ１３０とを接続する方向に作動しているか、又は、往路１２２とコンプレッサ１３０との接続を遮断する方向に作動しているかのいずれであるかを判定する（状態判定工程）。
【００８０】
例えば、気泡判定工程が行われる前にユーザがカーエアコン１２０の使用を開始しているときには、三方弁１２４は、往路１２２とコンプレッサ１３０とを接続する方向に作動している。すなわち、往路１２２とコンプレッサ１３０は接続状態にある。このため、冷媒排出路１０８から往路１２２に流入した冷媒は、コンプレッサ１３０に向かう。
【００８１】
この場合、制御部２０は、「第２冷媒循環路１２１に流通する冷媒にも気泡が混入している」と認識する。制御部２０がこのように判定し、且つ燃料電池スタック１２が予め設定された所定温度以上であるときには、気泡が除去されている間にユーザがカーエアコン１２０の使用を停止した場合であっても、図２に示すように三方弁１２４が作動することはない。すなわち、往路１２２とコンプレッサ１３０との接続が遮断されることはなく、接続状態が保たれる。なお、図２においては、三方弁の状態を、往路１２２とコンプレッサ１３０とが接続状態にあるときを「開弁」、接続遮断状態にあるときを「閉弁」と表している。
【００８２】
その一方で、図３に示すように、第１水ポンプ１０４の回転数が前記所定回転数以下に低減される。その結果、エキスパンションタンク１１２に供給される冷媒が、該エキスパンションタンク１１２の気液分離能力に見合った量となる。すなわち、冷媒に含まれる気相が液相から分離される。これにより、図３及び図４に示すように、冷媒に混入した気泡の除去が開始される。往路１２２とコンプレッサ１３０とが未だ接続であるため、第１冷媒循環路１０９及び第２冷媒循環路１２１の双方の冷媒から気泡が除去される。なお、図３における「混入気泡量」は第１冷媒循環路１０９での値であり、その他の図面でも同様である。
【００８３】
第１水ポンプ１０４の回転数が低減して所定時間が経過すると、制御部２０は、気泡が十分に排出されてその量が許容範囲内となったと判定する。この判定に基づき、制御部２０は、三方弁１２４を、往路１２２とコンプレッサ１３０の接続を遮断する方向に作動させる。
【００８４】
これにより、第２冷媒循環路１２１内には、気泡の量が許容範囲内である冷媒が封入される。従って、燃料電池車両の運転を停止し、所定時間が経過した後に該燃料電池車両を再運転するときに第２水ポンプ１２６が気泡を検知してエラー停止となることが回避される。
【００８５】
以上の気泡除去制御は、燃料電池車両ないし燃料電池システム１０を停止する最中に行うこともできる。すなわち、燃料電池車両の運転時に「燃料電池システム１０の運転停止」の指令がなされたとき、上記に従って制御部２０が「冷媒にエアが噛み込んでいる」と判定した場合、運転停止処理を行う間に気泡が除去される。
【００８６】
このように、三方弁１２４によって往路１２２とコンプレッサ１３０とを接続状態又は接続遮断状態に切り替えることにより、第１冷媒循環路１０９及び第２冷媒循環路１２１の双方の冷媒から気泡を除去するとともに、気泡が許容範囲内まで低減した冷媒を第２冷媒循環路１２１内に封入することが可能となる。このため、次回の燃料電池車両の運転開始時に第２水ポンプ１２６が正常に動作するので、第２冷媒循環路１２１内に冷媒を流通させることができる。
【００８７】
また、１個のエキスパンションタンク１１２を設けるのみで、第１冷媒循環路１０９内及び第２冷媒循環路１２１内の冷媒から気泡を除去することができる。従って、燃料電池システム１０が大型化することを回避することができる。このため、燃料電池車両における配置レイアウトの自由度が向上する。
【００８８】
上記の気泡除去制御は、状態判定工程の後に燃料電池スタック１２が所定の温度以上に保たれているときに実施される。すなわち、燃料電池スタック１２が所定の温度以上であるときには、状態判定工程の後、例えば、ユーザがカーエアコン１２０の使用を停止した場合であっても、三方弁１２４が、往路１２２とコンプレッサ１３０との接続を遮断する方向に作動することはない。
【００８９】
これに対し、気泡判定工程で冷媒中に所定量以上の気泡が混入していると判定された場合であっても、その後に燃料電池スタック１２が所定の温度を下回るに至ったときには、往路１２２とコンプレッサ１３０との接続を遮断することが好ましい。これにより、燃料電池スタック１２の温度がそれ以上に低下することを回避することができるからである。
【００９０】
すなわち、例えば、状態判定工程の後であっても、燃料電池スタック１２が予め設定された所定温度を下回ったときには、三方弁１２４を、往路１２２とコンプレッサ１３０の接続を遮断する方向に操作する指令を発することが好ましい。この指令が、制御部２０によってなされることは勿論である。
【００９１】
この操作が実行された後、燃料電池スタック１２が前記所定温度以上となったときには、制御部２０の制御作用下に三方弁１２４を操作し、往路１２２とコンプレッサ１３０とを接続するようにしてもよい。
【００９２】
以上において、三方弁１２４を、往路１２２とコンプレッサ１３０の接続を遮断する方向に操作する指令を実行するタイミングは、燃料電池システム１０の状況に応じて任意に設定可能である。例えば、この指令が制御部２０から発された直後に三方弁１２４を操作してもよい。また、上記に従って気泡の除去動作がなされているときには、該除去動作が終了してから三方弁１２４を操作するようにしてもよい。
【００９３】
本発明は、上記した実施の形態に特に限定されるものではなく、本発明の主旨を逸脱しない範囲で種々の変更が可能である。
【００９４】
例えば、往路１２２とコンプレッサ１３０が接続遮断状態にあるときには、制御部２０に「第２冷媒循環路１２１内の冷媒に気泡の混入はない」と判定させるようにしてもよい。すなわち、この場合、制御部２０は、図５〜図７に示すように、気泡判定工程で冷媒に気泡が混入していると判定された場合、往路１２２とコンプレッサ１３０が接続状態にあるときのみ、「第２冷媒循環路１２１内の冷媒に気泡が混入している」と判定する。
【符号の説明】
【００９５】
１０…燃料電池システム                  １２…燃料電池スタック
１４…燃料ガス供給装置                  １６…酸化剤ガス供給装置
１８…冷媒供給装置                      ２０…制御部
２４…発電セル                          ２６…電解質膜・電極構造体
２８、３０…セパレータ                  ３２…固体高分子電解質膜
３４…アノード電極                      ３６…カソード電極
３８…水素ガス流路                      ４０…空気流路
５０…水素タンク                        ５１…水素ガス供給路
５４…インジェクタ                      ５６…エゼクタ
６２…水素ガス排出路                    ６６…水素循環流路
６８…水素ポンプ                        ７８…エアポンプ
８０…空気供給路                        ８４…加湿器
８６…バイパス供給路                    ９０…空気排出路
９２…背圧弁                            ９４…バイパス流路
９６…ＢＰ流量調整弁                    １０２…冷媒供給路
１０４…第１水ポンプ                    １０６…ラジエータ
１０８…冷媒排出路                      １０９…第１冷媒循環路
１１２…エキスパンションタンク          １１４…リザーブタンク
１２０…カーエアコン                    １２１…第２冷媒循環路
１２２…往路                            １２３…復路
１２４…三方弁                          １２６…第２水ポンプ
１３０…コンプレッサ                    １３２…送風機
１３４…エバポレータ                    １４０…バイパス用分岐管
【図１】
2018018683.tif 000003
【図２】
2018018683.tif 000004
【図３】
2018018683.tif 000005
【図４】
2018018683.tif 000006
【図５】
2018018683.tif 000007
【図６】
2018018683.tif 000008
【図７】
2018018683.tif 000009